(57)【要約】【課題】  従来のキャビネットを利用してアシスタントがセメントの練和作業を行うような場合には、背の高い天板で立位体勢で行うか、離れた位置にあるカウンターに移動して行わなければならないので、アシスタントは疲労することがあるといった問題があった。【解決手段】  床面に設置される台座１と、該台座から立設された２本のアルミの押し出し成形により製作され少なくとも１つの面に蟻溝が形成された角柱状の支柱２と、該２本の支柱の上端に固定された天板と、該天板に固定された仕切り板４と、前記２本の支柱における一方の支柱に形成されている前記蟻溝を利用して取付けられたアシスタント用テーブル９と、該アシスタント用テーブルより下側に取付けられた支持板１０と、前記アシスタント用テーブルの先端側と前記支持板の先端側とを連結する円柱状の軸杆１１と、該軸杆に対して回転自在に軸支された支持部材１３と、該支持部材に対して着脱自在に設置されるトレー１４とから構成した歯科診療用キャビネットである。【選択図】        図１
2006122382.tif 000002
【特許請求の範囲】
【請求項１】
床面に設置される台座と、該台座から立設された２本のアルミの押し出し成形により製作され少なくとも１つの面に蟻溝が形成された角柱状の支柱と、該２本の支柱の上端に固定された天板と、該天板に固定された仕切り板と、前記２本の支柱における一方の支柱に形成されている前記蟻溝を利用して取付けられたアシスタント用テーブルと、該アシスタント用テーブルより下側に取付けられた支持板と、前記アシスタント用テーブルの先端側と前記支持板の先端側とを連結する円柱状の軸杆と、該軸杆に対して回転自在に軸支された支持部材と、該支持部材に対して着脱自在に設置されるトレーとから構成したことを特徴とする歯科治療用キャビネット。
【請求項２】
前記支持部材は前記軸杆に対して回転自在で、かつ、少なくとも２つの所定回転角度位置でロック可能なように軸支されていることを特徴とする請求項２記載の歯科治療用キャビネット。
【請求項３】
前記２本の支柱における他の支柱の蟻溝を利用して回転自在に取付けられたモニター用テーブルと、該モニター用テーブルに取付けられたモニターと、前記他の支柱における蟻溝を利用してコンピュータ本体を収容するためのボックスが取付けられ、また、前記コンピュータ本体よりの配線ケーブルを前記支柱内に収納したことを特徴とする請求項１記載の歯科治療用キャビネット。
【請求項４】
前記台座には旋回アームを介して前記天板の下側に収納、かつ、椅子側に引き出し可能にドクターテーブルが取付けられていることを特徴とする請求項１記載の歯科治療用キャビネット。
【発明の詳細な説明】
【技術分野】
【０００１】
本発明は、歯科医院において診療区画を仕切るためのキャビネットにおいて、該キャビネットの支柱に対して施術時にアシスタントが使用する道具を収容するためのトレーを回転自在、かつ、高さ調整可能に取付けた歯科診療用キャビネットに関する。
【背景技術】
【０００２】
従来における診療区画を仕切るためのキャビネットとしては、例えば、特開平９−３１３５０７号公報に開示されている発明がある。この出願の明細書、図面（図１）には示されているキャビネットは、ボックス状の歯科用技工用作業台と、該作業台の背面側から横方向に延びる足元を隠す隠し板と、前記作業台と隠し板によって支持される背面板が取付けられている天板とから構成され、また、作業台の側面に取付けられたパイプに対してラックが回動自在に取付けられ、また、患者とのカウンセリング時に患者にＸ線写真等を見せるためのテレビモニターは前記テーブルに設置されているものである。
【特許文献１】特開平９−３１３５０７号公報
【発明の開示】
【発明が解決しようとする課題】
【０００３】
ところで、前記した従来のキャビネットを利用してアシスタントがセメントの練和作業を行うような場合には、背の高い天板で立位体勢で行うか、離れた位置にあるカウンターに移動し行わなければならないので、アシスタントの疲労が大きく、また、キャビネットをユニットと別にあつらえなくてはならないのでコストも高くなるといった問題があった。
【０００４】
また、アシスタントが使用するエキスプローラ、スケーラー、リムーバ、ストッピング等の小器材は、準備コーナーでから前記小器材を使用して作業する場合には、各使用する小器材のみを各週の初から選択して持ち出さなければならないので、持ち出し忘れた機材がある場合には再びキャビネットまで行かなければならないといった問題もあった。
【０００５】
さらに、患者とのカウンセリング時にコンピュータ内にメモリした患者のＸ線写真等をモニターで見せる場合に、該モニターは天板の上に載置されていることから、患者から遠いためモニターを患者側に近づけ、かつ、モニター面を患者側に向けるといった作業があり、カウンセリングまでの時間が掛かると共に作業が面倒であるといった問題もあった。
【０００６】
本発明は前記した問題点を解決せんとするもので、その目的とするところは、キャビネットとしての構造が簡素化されているので製品コストの低減が図れると共に、トレーは取り外し可能なので、準備コーナー等での作業時には小器材が入っているトレーを外して持って行くことで小器材の持ち忘れを防止でき、また、モニターはキャビネットに対して回転自在に取付けられているので、カウンセリング時の手間と時間の短縮を図ることができる歯科診療用キャビネットを提供せんとするにある。
【課題を解決するための手段】
【０００７】
本発明のる歯科診療用キャビネットは前記した目的を達成せんとするもので、請求項１の手段は、床面に設置される台座と、該台座から立設された２本のアルミの押し出し成形により製作され少なくとも１つの面に蟻溝が形成された角柱状の支柱と、該２本の支柱の上端に固定された天板と、該天板に固定された仕切り板と、前記２本の支柱における一方の支柱に形成されている前記蟻溝を利用して取付けられたアシスタント用テーブルと、該アシスタント用テーブルより下側に取付けられた支持板と、前記アシスタント用テーブルの先端側と前記支持板の先端側とを連結する円柱状の軸杆と、該軸杆に対して回転自在に軸支された支持部材と、該支持部材に対して着脱自在に設置されるトレーとから構成したものである。
【０００８】
請求項２の手段は、前記した請求項１において、前記支持部材は前記軸杆に対して回転自在で、かつ、少なくとも２つの所定回転角度位置でロック可能なように軸支されていることを特徴とする。
【０００９】
請求項３の手段は、前記した請求項１において、前記２本の支柱における他の支柱の蟻溝を利用して回転自在に取付けられたモニター用テーブルと、該モニター用テーブルに取付けられたモニターと、前記他の支柱における蟻溝を利用してコンピュータ本体を収容するためのボックスが取付けられていることを特徴とする。
【００１０】
請求項４の手段は、前記した請求項１において、前記台座には旋回アームを介して前記天板の下側に収納、かつ、椅子側に引き出し可能にドクターテーブルが取付けられていることを特徴とする。
【発明の効果】
【００１１】
本発明は前記したように、２本の支柱によって仕切り板が取付けられている天板を固定し、該支柱に対して上下動自在で所望高さ位置で固定可能に支持部材を取付け、かつ、該支持部材に小器材を収容するトレーを着脱自在としたので、構造が簡単なキャビネットにより製品コストの低減を図ることができ、また、トレー毎の移動も行えるのでも小器材を出し忘れることを防止でき、さらに、トレーは回転自在であることから、隣の区画側で治療している医師やアシスタントも使用使用することができるものである。
【００１２】
また、支持部材は所望回転角位置でロックが可能であることにより、アシスタントが施術中に使用するセメント等の部材が安定した状態で所定位置で保持されるので、作業性の向上を図ることができる。
【００１３】
さらに、前記支柱に対してモニターが設置されている小天板が回転自在に取付けられているので、歯科医と患者とのカウンセリング時にＸ線写真等をモニターに写して見せる時に小天板を支柱に対して回転させることで患者の見やすい位置にモニターを簡単に向けることができ、また、患者を椅子に導入する際には小天板を回転することで、該小天板が邪魔になることがなく、さらに、小天板を利用してコンピュータのマウスを操作することが可能である。
【００１４】
また、支柱を支える台座に対して回転アームを使用してドクターテーブルを取付けたことにより、歯科医による施術を迅速に開始でき、さらに、天板下側に収容することで、患者から見にくくなって患者に恐怖心を与えることがない等の効果を有するものである。
【発明を実施するための最良の形態】
【００１５】
本発明は、２本の支柱によって仕切り板が取付けられている天板を固定し、該支柱に対して上下動自在で所望高さ位置で固定可能に支持部材を取付け、かつ、該支持部材に小器材を収容するトレーを着脱自在とした。
【実施例１】
【００１６】
以下、本発明に係る歯科治療用キャビネットの一実施例を図面と共に説明する。
１は床面に設置される横長形状の台座、２は該台座１の両端に形成された取付用孔１ａに嵌合固定された支柱にして、アルミの引抜き成形により製作され少なくとも１つの面に蟻溝２ａが形成された角柱状の支柱である。そして、前記蟻溝２ａにナット部材２ｂを挿入し、このナット部材２ｂを所望の高さ位置に設定した状態で取付板２ｃを介してナット部材２ｂにネジ２ｄを螺合締め付けることで、取付板２ｃを支柱２の所望高さ位置に固定できる。そして、この取付板２ｃを利用して後述する各部材を支柱２に取付けることが可能となる（図４参照）。
【００１７】
３は前記２本の支柱２の上端にネジ止め等の手段によって固定された天板にして、該天板の長手方向奥側には隣接する診療区画から見えないようにするための仕切り板４が立設取付けられている。５は前記台座１に対して水平方向に回動自在に取付けられた第１アーム５ａと、該第１アーム５ａに対して水平方向に回動自在で、かつ、上下方向に回動自在に取付けられた第２アーム５ｂと、該第２アーム５ｂの先端に取付けられたテーブル５ｃと、該テーブル５ｃの手前側に取付けられたホルダー５ｄとからなる歯科医が使用するドクターテーブルである。なお、前記ホルダー５ｄには図示しない脱着可能に施術器具５ｄが垂下保持される。また、前記テーブル５ｃには各種の操作、例えば、図示しない歯科用椅子の上下動および背凭れの起伏を行うための操作パネル５がｅ設けられている。
【００１８】
６は前記支柱２の一方（図１において左側）の前記取付板２ｃを利用して支柱２に固定されたボックスにして、該ボックス６の前面には開閉蓋６ｂが取付けられ内部にコンピュータが収容されている。７は前記ボックス６より上側位置の前記支柱２に、取付板２ｄを利用して回転自在に取付けられたアーム７ａに対して固定されたモニター用テーブルにして、該モニター用テーブル７には液晶型のモニター８が取付けられている。そして、前記ボックス６内に収容されているコンピュータと前記モニター８とは接続されている。
【００１９】
９は、前記支柱２とは異なる側（図１において右側）の支柱２における取付板２ｃを利用して固定されたアシスタントが使用するアシスタント用テーブル、１０は同じく取付板２ｃを利用して前記アシスタント用テーブル９とは間隔を隔てて固定された支持板、１１は前記アシスタント用テーブル９の先端と前記支持板１０の先端との間に固定された円柱状の軸杆、１２は該軸杆１１に対して上下方向の移動は軸杆１１に固定されたスリーブ１１ａによって規制され回転方向に対して回転自在に軸支された複数の回転管（図示では３個）、１３は該回転管１２のそれぞれに取付けられた金属線をリング状にした支持部材、１４は該支持部材１３に対して着脱自在に形成されたアシスタントが使用する小器材を収容するためのトレーである。
【００２０】
なお、前記した回転管１２にはネジ孔１２ａが形成され、該ネジ孔１２ａにはボール１２ｂ、スプリング１２ｃが挿入され、抜け止め用ネジ１２ｄをネジ孔１２ａに螺合することで、ボール１２ｂ、スプリング１２ｃが抜け出ないように構成されている。また、軸杆１１には略１２０度の角度位置に前記ボール１２ｂが嵌まり込む凹部１１ａが形成されている。
【００２１】
次に、前記した構成に基づいて使用方法を説明する。
先ず、図２の患者が椅子に着座している状態においてモニター８を見ながらカウンセリングを行う場合について説明するに、患者を椅子に導入する際にはモニター用テーブル７は天板３と平行な状態にして、患者の導入空間を広くしておく。また、トレー１４もアシスタント用テーブル７の裏面に位置するようにボール１２ｂを凹部１１ａに係合させておく。そして、導入が済んでカウンセリングを行う場合には、モニター８が見やす位置までモニター用テーブル７を回転し、Ｘ線写真等をモニター８に写し出しカウンセリングを行う。
【００２２】
なお、前記したモニター用テーブル７にはカウンセリングとしての模型や冊子をおいた状態での良好なカウンセリングを行うことができ、また、コンピュータを操作する場合には、このテーブルを使用してマウスを操作することもできる。
さらに、コンピュータとモニター８とを接続するコードを支柱２内に挿通することも可能なので、コードが外部から見えなくなり体裁が良くなる。
【００２３】
次に、図３に示す患者の治療を行う場合について説明するに、図示していない他の本発明に係る歯科治療用キャビネットにおけるドクターテーブルを引き出して歯科医による治療を行う。また、この治療においてアシスタントは所望の段のトレー
１４を回転させボール１２ｂを他の凹部１１ａに係合させて固定状態としておく、この状態において治療に使用する小器材を取り出し、あるいは、トレー１４をアシスタント用テーブル９の上に載せて小器材を取り出しやす状態にして、アシスタントが使用したり歯科医に小器材を渡すなどして治療をサポートすることができる。
【００２４】
なお、支柱２に取付けるボックス６、モニター用テーブル７、アシスタント用テーブル９等は歯科医やアシスタントが使用しやすい高さ位置に設定できることは勿論のことである。
【図面の簡単な説明】
【００２５】
【図１】本発明に係る歯科治療用キャビネットの一実施例を示す斜視図である。
【図２】カウンセリング状態を示す平面図である。
【図３】治療状態を示す平面図である。
【図４】支柱の断面図である。
【図５】トレーを回転可能に取付ける部分の断面図である。
【符号の説明】
【００２６】
１          台座
２          支柱
２ａ        蟻溝
３          天板
４          仕切り板
５          ドクターテーブル
６          ボックス
７          モニター用テーブル
８          モニター
９          アシスタント用テーブル
１０        支持板
１１        軸杆
１２        回転管
１３        支持部材
１４        トレー
【図１】
2006122382.tif 000003
【図２】
2006122382.tif 000004
【図３】
2006122382.tif 000005
【図４】
2006122382.tif 000006
【図５】
2006122382.tif 000007
【手続補正書】
【提出日】平成16年11月4日(2004.11.4)
【手続補正１】
【補正対象書類名】特許請求の範囲
【補正対象項目名】全文
【補正方法】変更
【補正の内容】
【特許請求の範囲】
【請求項１】
床面に設置される台座と、該台座から立設された２本のアルミの押し出し成形により製作され少なくとも１つの面に蟻溝が形成された角柱状の支柱と、該２本の支柱の上端に固定された天板と、該天板に固定された仕切り板と、前記２本の支柱における一方の支柱に形成されている前記蟻溝を利用して取付けられたアシスタント用テーブルと、該アシスタント用テーブルより下側に取付けられた支持板と、前記アシスタント用テーブルの先端側と前記支持板の先端側とを連結する円柱状の軸杆と、該軸杆に対して回転自在に軸支された支持部材と、該支持部材に対して着脱自在に設置されるトレーとから構成したことを特徴とする歯科診療用キャビネット。
【請求項２】
前記支持部材は前記軸杆に対して回転自在で、かつ、少なくとも２つの所定回転角度位置でロック可能なように軸支されていることを特徴とする請求項２記載の歯科診療用キャビネット。
【請求項３】
前記２本の支柱における他の支柱の蟻溝を利用して回転自在に取付けられたモニター用テーブルと、該モニター用テーブルに取付けられたモニターと、前記他の支柱における蟻溝を利用してコンピュータ本体を収容するためのボックスが取付けられ、また、前記コンピュータ本体よりの配線ケーブルを前記支柱内に収納したことを特徴とする請求項１記載の歯科診療用キャビネット。
【請求項４】
前記台座には旋回アームを介して前記天板の下側に収納、かつ、椅子側に引き出し可能にドクターテーブルが取付けられていることを特徴とする請求項１記載の歯科診療用キャビネット。